(57)【要約】【課題】補助光源を搭載した制御基板の配置に自由度を持たせることのできる液晶表示装置の提供。【解決手段】液晶表示パネルと、前記液晶表示パネルの一方の面側に配置されるバックライト筐体と、前記バックライト筐体の前記液晶表示パネルに対向する面と反対側の面に搭載される制御回路基板を備える液晶表示装置であって、前記バックライト筐体の前記液晶表示パネルに対向する面側に配置された複数の蛍光管と、前記制御回路基板に配置された光源と、前記光源からの光を前記バックライト筐体の前記液晶表示パネルに対向する面側に導くライトガイドとを備える。【選択図】図１
2010002822.tif 000002
【特許請求の範囲】
【請求項１】
液晶表示パネルと、前記液晶表示パネルの一方の面側に配置されるバックライト筐体と、前記バックライト筐体の前記液晶表示パネルに対向する面と反対側の面に搭載される制御回路基板を備える液晶表示装置であって、
前記バックライト筐体の前記液晶表示パネルに対向する面側に配置された複数の蛍光管と、
前記制御回路基板に配置された光源と、
前記光源からの光を前記バックライト筐体の前記液晶表示パネルに対向する面側に導くライトガイドとを備えることを特徴とする液晶表示装置。
【請求項２】
前記バックライト筐体と前記蛍光管の間には、反射シートが配置され、
前記ライドガイドは、前記反射シートと前記蛍光管の間に配置されることを特徴する請求項１に記載の液晶表示装置。
【請求項３】
前記ライトガイドは、光入射端と光出射端を有し、
前記光出射端は、前記蛍光管の電極近傍に配置されることを特徴する請求項２に記載の液晶表示装置。
【請求項４】
前記ライトガイドの光入射端が配置される位置の前記バックライト筐体に、貫通孔が形成されていることを特徴する請求項３に記載の液晶表示装置。
【請求項５】
前記ライトガイドは、当該ライトガイドの長手方向が前記蛍光管の長手方向と平行に配置されることを特徴とする請求項２に記載の液晶表示装置。
【請求項６】
前記ライトガイドは、当該ライトガイドの長手方向が前記蛍光管の長手方向と交差して配置されていることを特徴とする請求項２に記載の液晶表示装置。
【請求項７】
前記ライドガイドは、前記バックライト筐体の前記制御回路基板が配置される面側に配置されることを特徴する請求項１に記載の液晶表示装置。
【請求項８】
前記ライトガイドは、光入射端と光出射端を有し、
前記光出射端は、前記蛍光管の電極近傍に配置されることを特徴する請求項７に記載の液晶表示装置。
【請求項９】
前記ライトガイドの光出射端が配置される位置の前記バックライト筐体に、貫通孔が形成されていることを特徴する請求項８に記載の液晶表示装置。
【請求項１０】
前記ライトガイドは、光入射端と光出射端を有し、
前記光出射端面は半球面状となっていることを特徴とする請求項１に記載の液晶表示装置。
【発明の詳細な説明】
【技術分野】
【０００１】
本発明は液晶表示装置に係り、特に、バックライトを備える液晶表示装置に関する。
【背景技術】
【０００２】
液晶表示パネルは、その画素において光透過率が制御されるように構成され、このため、該液晶表示パネルの背面にバックライトを備えるのが通常となっている。
【０００３】
そして、前記バックライトは、光源にＣＣＦＬやＥＥＦＬといった蛍光管（放電管）を用いることが一般的である。
【０００４】
このようなバックライトに用いられる蛍光管は、明るいところでは周囲の光によって管内に初期電子が生成されて通電後直ちに始動するが、暗いところでは始動に長時間を要するという性質を有する（下記特許文献１参照）。
【０００５】
そこで、前記蛍光管の電極近傍に補助光源としてＬＥＤを配置させ、ＬＥＤからの光を蛍光管に照射することで、蛍光管の放電を円滑にスタートさせる技術が知られるに至っている（下記特許文献１、２参照）。
【特許文献１】特開２００２−１５８８５号公報
【特許文献２】特開２００６−３２４１３１号公報
【発明の開示】
【発明が解決しようとする課題】
【０００６】
上記従来技術には、補助光源であるＬＥＤの実装については、具体的な形状は記載されていない。テレビ用などの比較的大型の直下型バックライトを備える液晶表示装置の場合、蛍光管を並設させるバックライト筐体の裏面（蛍光管が配置されている面と反対側の面）には、蛍光管を制御するためのインバータ回路基板が配置されているため、このインバータ回路基板上に補助光源を搭載することが現実的な実装位置となる。
【０００７】
更に、より効率良く蛍光管を点灯させるためには、補助光源は蛍光管の電極付近に配置することが望ましい。このため、補助光源をインバータ回路基板に搭載させた場合、インバータ回路基板を、補助光源が蛍光管の電極近傍の直下に配置させなければならなくなる。一般的に、蛍光管の電極は液晶表示パネルの液晶表示領域の外側に位置しているため、インバータ回路基板の配置は、バックライト筐体の周辺領域のみに制限されてしまうことになる。近年の液晶テレビは、テレビ本体の筐体の薄型化が進んでいる。バックライト裏面に配置される基板は、先述のインバータ回路基板以外にも電源基板など多数あり、テレビ筐体の薄型化が進むほど、各基板の配置位置に工夫が必要になる。特に筐体周辺部は薄型化が要求されるため、各基板は中央付近に寄せて配置したいという要求があるが、補助光源を使用する場合は、この要求に上手く答えられないという問題があった。
【０００８】
また、補助光源からの光をバックライト裏面から蛍光管側に照射するためには、バックライト筐体に孔を形成しなければならない。一般的には、バックライト筐体の蛍光管側の面には反射シートが配置されており、この反射シートには孔が開けられないという不都合を有する。反射シートに孔を開ければ、異物侵入の可能性があり、また、輝度低下の遠因にもなり得る。
【０００９】
本発明の主目的は、補助光源を搭載した制御基板の配置に自由度をもたせることのできる液晶表示装置を提供することにある。
【００１０】
本発明の他の目的は、バックライト内への異物の侵入を回避して前記主目的を達成し得る液晶表示装置を提供することにある。
【課題を解決するための手段】
【００１１】
本願において開示される発明のうち、代表的なものの概要を簡単に説明すれば、以下のとおりである。
【００１２】
液晶表示パネルと、前記液晶表示パネルの一方の面側に配置されるバックライト筐体と、前記バックライト筐体の前記液晶表示パネルに対向する面と反対側の面に搭載される制御回路基板を備える液晶表示装置であって、前記バックライト筐体の前記液晶表示パネルに対向する面側に配置された複数の蛍光管と、前記制御回路基板に配置された光源と、前記光源からの光を前記バックライト筐体の前記液晶表示パネルに対向する面側に導くライトガイドとを備えることである。
【００１３】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００１４】
このように構成した液晶表示装置は、補助光源を搭載した制御基板の配置に自由度をもたせることができる。また、バックライト内への異物の侵入を回避して前記主目的を達成することができる。
【００１５】
本発明のその他の効果については、明細書全体の記載から明らかにされる。
【発明を実施するための最良の形態】
【００１６】
本発明の実施例を、図面を参照しながら説明する。なお、各図および各実施例において、同一又は類似の構成要素には同じ符号を付し、説明を省略する。
【００１７】
〈実施例１〉
（全体構成）
図２は、本発明が適用される液晶表示装置の一実施例を示す概略構成図である。
【００１８】
まず、観察者側から、液晶表示パネルＰＮＬ、光学シートＯＳ、およびバックライトＢＬが順次配置されている。
【００１９】
液晶表示パネルＰＮＬは、一対の平行配置されたたとえばガラスからなる基板ＳＵＢ１、ＳＵＢ２を外囲器とし、これら各基板ＳＵＢ１、ＳＵＢ２の間に液晶を挟持して構成されている。
【００２０】
基板ＳＵＢ１、ＳＵＢ２の液晶側の面には、マトリックス状に配置された画素（図示せず）が液晶を一構成要素として形成され、これら画素ごとに液晶の光透過率を制御できるようになっている。
【００２１】
そして、これら各画素が形成された領域を液晶表示領域ＡＲ（図中一点鎖線で囲まれた領域）とし、後述のバックライトＢＬからの光を液晶表示領域ＡＲの全域にわたって照射し、各画素を透過する光を通して観察者に映像を認識させるようになっている。
【００２２】
観察者に対して後方に配置された基板ＳＵＢ１は、たとえばその図中左側辺および上側辺において基板ＳＵＢ２から露出された部分を有し、これらの部分において、複数の半導体装置ＳＣＤｈ、ＳＣＤｖの一辺部が接続されるようになっている。これら半導体装置ＳＣＤｈ、ＳＣＤｖはいわゆるテープキャリア方式によって形成され、配線が形成されたフレキシブル基板ＦＢの上面に半導体チップＣＨが搭載されて構成されている。
【００２３】
これら各半導体装置ＳＣＤ、ＳＣＤｖは各画素を独立に駆動させる回路であり、たとえば図中ｙ方向に並設される半導体装置ＳＣＤｈは走査信号駆動回路であり、図中ｘ方向に並設される半導体装置ＳＣＤｖは映像信号駆動回路である。
【００２４】
映像信号駆動回路である複数の半導体装置ＳＣＤｈには、基板ＳＵＢ１と接続された辺と対向する他の辺においてプリント基板ＰＣＢが接続され、プリント基板ＰＣＢを通して外部入力信号が入力される。
【００２５】
なお、走査信号駆動回路である複数の半導体装置ＳＣＤｖは、その外部入力信号が基板ＳＵＢ１の表面に形成された配線（図示せず）を通して入力されるようになっているため、プリント基板ＰＣＢに相当する基板は備えられていない。
【００２６】
このように構成された液晶表示パネルＰＮＬの背面には、たとえばプリズムシートおよび拡散板等の積層体からなる光学シート手段ＯＳを介してバックライトＢＬが配置されている。光学シートＯＳはバックライトＢＬからの光を拡散、集光させたりして液晶表示パネルＰＮＬ側へ導くようになっている。
【００２７】
バックライトＢＬは、いわゆる直下型と称され、箱状の筐体（下フレームＤＦＲ）内に、複数の蛍光管ＥＦＬを並設させた構成からなっている。
【００２８】
このような液晶表示パネルＰＮＬ、光学シートＯＳ、およびバックライトＢＬは、前記下フレームＤＦＲと係合される図１で示される上フレームＵＦＬ、および中間フレームＭＦＬによって、モジュール化されるようになっている。
【００２９】
（バックライトＢＬ）
図３（ａ）は、図２に示した液晶表示装置からバックライトＢＬのみを抜き出して示した図である。また、図３（ｂ）は、図３（ａ）と対応する図で、図３（ａ）に示した側壁板ＳＷＢを取り外した状態を示した図である。
【００３０】
下フレームＤＦＲの液晶表示パネルＰＮＬと対向する面には、反射シートＲＳが載置される。これにより、光反射面を形成する。また、反射シートＲＳの図中ｘ方向と平行な辺部は、何れも屈曲によって周辺を高くした側壁面ＳＷＦを形成する。尚、本実施例で用いる反射シートＲＳは、裏面（下フレームＤＦＲ側の面）に黒色のシートを貼り付けたものは使用せず、両面共に白色の状態のシートを使用することが望ましい。その理由は後述する。
【００３１】
そして、蛍光管ＥＦＬは、液晶表示パネルＰＮＬと平行な平面内において、その長手方向を図中ｘ方向に一致させ、図中ｙ方向に複数並設されて配置されている。尚、本実施例では、蛍光管ＥＦＬに外部電極蛍光管（ＥＥＦＬ；External Electrode Fluorescent Lamp）を用いる。蛍光管ＥＦＬは、その両端に、前記液晶表示パネルＰＮＬの液晶表示領域ＡＲよりも外側に配置される電極（図３（ｂ）参照）を有し、これら電極は、前記下フレームＤＦＲの図中ｙ方向と平行なそれぞれの辺部に配置される側壁板ＳＷＢによって被われている。
【００３２】
この側壁板ＳＷＢは、液晶表示領域ＡＲに対して外方の辺が高くなるように傾斜して配置され、液晶表示パネルＰＮＬ側の面に光反射処理がなされている。この側壁板ＳＷＢは、反射シートＲＳの側壁面ＳＷＦとともに、バックライトＢＬの実質的な側壁部を構成するようになっている。
【００３３】
側壁板ＳＷＢが配置される領域の下フレームＤＦＲの上面には電極支持台ＴＭＴが載置され、この電極支持台ＴＭＴ上には電極支持材ＴＭＳが固定されている。電極支持材ＴＭＳは、並設された蛍光管ＥＦＬの両端にあり、蛍光管ＥＦＬの並設方向に延在された金属板材からなる。また、電極支持材ＴＭＳは、蛍光管ＥＦＬの電極ＴＭの支持を兼ねた電源供給用の電極金具ＴＭＦを備えている。
【００３４】
図４（ａ）は、電極金具ＴＭＦの詳細を示した図で、図３（ｂ）の点線枠αにおける拡大図である。また、図４（ｂ）は、図４（ａ）のｂ−ｂ線における断面図である。
【００３５】
電極金具ＴＭＦは、打ち抜きによって電極支持材ＴＭＳと一体に形成され、電極支持材ＴＭＳの図中ｘ方向に延在する基部材ＢＰに沿ってたとえば３個並設されて形成されている。すなわち、蛍光管ＥＦＬの同一の電極を３個の電極金具ＴＭＦによって支持するようになっている。電極金具ＴＭＦは、図４（ｂ）に示すように、基部材ＢＰに蛍光管ＥＦＬの電極ＴＭを両脇から挟持する一対の相対向する舌片ＴＳ、ＴＳ'を備えている。なお、図４（ｂ）に示す点線丸は蛍光管ＥＦＬの電極ＴＭの外周を示している。
【００３６】
図３に戻り、下フレームＤＦＲには、インバータ回路基板ＩＣＢが取り付けられている。インバータ回路基板ＩＣＢは、下フレームＤＦＲの裏面（蛍光管が配置される面の反対側の面）に取り付けられており、その位置は、図３（ａ）、（ｂ）に示すように、下フレームＤＦＲのやや中央よりである。このインバータ回路基板ＩＣＢは、蛍光管ＥＦＬの点灯、消灯、および輝度等を制御する制御回路から構成され、その制御回路とともに、たとえば発光ダイオードからなる蛍光管ＥＦＬ照射用の補助光源が搭載されている。この補助光源については後述する。
【００３７】
（全体構成；断面形状）
図１は、モジュール化された前記液晶表示パネルＰＮＬ、光学手段ＯＳ、およびバックライトＢＬの断面図を示し、この断面図は、図３（ａ）のＩ−Ｉ線の位置の断面を示している。
【００３８】
図１に示されるように、バックライトＢＬの側壁板ＳＷＢ上には、拡散板ＤＢ、プリズムシートＰＳが載置されている。この拡散板ＤＢとプリズムシートＰＳは図２に示した光学手段ＯＳを構成する。拡散板ＤＢおよびプリズムシートＰＳは、中間フレームＭＦＬと側壁板ＳＷＢとの間に配置される。また、中間フレームＭＦＬには液晶表示パネルＰＮＬが載置され、液晶表示パネルＰＮＬは中間フレームＭＦＬと上フレームＵＦＬとの間に配置される。上フレームＵＦＬは、液晶表示パネルＰＮＬの液晶表示領域ＡＲを露出させる開口ＯＰが形成され、中間フレームＭＦＬあるいは下フレームＤＦＬに係合されるようになっている。
【００３９】
インバータ回路基板ＩＣＢは、前述のように下フレームＤＦＬの裏面に取り付けられる。インバータ回路基板ＩＣＢには、補助光源ＡＬが搭載されている。本実施例は補助光源ＡＬに、ＬＥＤ（Light Emitting Diode）を用いる。この補助光源ＡＬは、たとえば、図３（ａ）（ｂ）で示される中央付近の蛍光管ＥＦＬ'の直下に配置される。この補助光源ＡＬからの光は、蛍光管ＥＦＬ'側に出射するように、インバータ回路基板ＩＣＢには穴が形成されている。補助光源ＡＬからの光は、反射シートＲＳと下フレームＤＦＬの間に配置されたライトガイドＬＧによって、外部電極蛍光管ＥＦＬ'の電極ＴＭの近傍にまで導かれ、電極ＴＭの近傍に照射される。
【００４０】
図５は、ライトガイドＬＧのみを取り出して示した斜視図である。ライトガイドＬＧは、たとえば合成樹脂の成形材から構成された透明の棒状体からなり、その一端側において光入射端面ＩＦを、他端側において光出射端面ＯＦを有する。そして、光入射端面ＩＦ、光出射端面ＯＦは、それぞれ、ライトガイドＬＧの延在方向Ｌと直交する方向であって、互いに逆の方向に端面を有するように形成されている。そして、ライトガイドＬＧは、光入射端面ＩＦから光が入射された場合に、ライトガイドＬＧ内で全反射を繰り返しながら、光出射端面ＯＦから出射されるように、その形状が形成されている。
【００４１】
図１に戻り、ライトガイドＬＧは、その光入射端面ＩＦが、下フレームＤＦＬに形成された孔ＨＬを介して補助光源ＡＬと向き合う位置に配置されている。また、ライトガイドＬＧの光出射端面ＯＦは、蛍光管ＥＦＬ'側に向いており、蛍光管ＥＦＬ'の電極ＴＭの近傍に配置される。また、本実施例で使用する反射シートＲＳは、裏面に遮光膜を持たない白色のみのシートである。そのため、ライトガイドＲＳの光出射端面ＯＦから出た光は、反射シートＲＳを透過して、蛍光管ＥＦＬへ到達することができる。
【００４２】
このような構成とすることにより、補助光源ＡＬを搭載したインバータ回路基板ＩＣＢは、蛍光管の電極直下ではなく、バックライトの中央側に寄せて配置することができる。
【００４３】
また、ライトガイドＬＧの長さを調整して形成することにより、該ライトガイドＬＧの長さに応じた個所にインバータ回路基板ＩＣＢを配置させることができる。したがって、インバータ回路基板ＩＣＢの配置に自由度を持たせることができるようになる。
【００４４】
また、この実施例では、ライトガイドＬＧの光出射端面ＯＦは、反射シートＲＳと対向して配置され、光出射端面ＯＦからの光は、反射シートＲＳを透過して蛍光管ＥＦＬ側に出射する構成となっている。したがって、反射シートＲＳに孔を設ける必要はなく、バックライトＢＬ内への異物の侵入を回避できる。
【００４５】
しかし、この構成に限らず、反射シートＲＳに孔を形成し、孔の位置にライトガイドＬＧの光出射端面ＯＦを配置しても良い。これにより、より強い光を蛍光管ＥＦＬに照射することができる。また、孔の大きさと光出射端面ＯＦの大きさをほぼ同じように形成すれば、孔をライトガイドＬＧによって塞ぐようになり、バックライトＢＬ内への異物の侵入可能性を低くすることができる。
【００４６】
〈実施例２〉
図６は、本発明の実施例２の構成を示す図で、図１に対応した図となっている。ただし、図６は、図１と比べて、液晶表示パネルＰＮＬ、光学シートＯＳ等を省略し、また、下フレームＤＦＬも簡略化して示している。
【００４７】
図１の場合と比較して異なる構成は、ライトガイドＬＧを反射シートＲＳの上面に配置させていることにある。反射シートＲＳ、下フレームＤＦＬには、孔ＨＬ１が形成され、ライトガイドＬＧの光入射端面ＩＦ側は、この孔ＨＬ１内に配置され、光入射端面ＩＦはインバータ回路基板ＩＣＢに搭載される補助光源ＡＬに対峙する。
【００４８】
この場合、反射シートＲＳ、下フレームＤＦＬに孔ＨＬ１を形成しても、孔ＨＬ１にライトガイドＬＧの光入射端面ＩＦ側が勘合するように構成することで、孔ＨＬ１はライトガイドＬＧによって塞がれ、バックライトＢＬ内への異物の侵入を防ぐことができる。このことは、実施例３以降の実施例の構成についても同様にいえることである。
【００４９】
〈実施例３〉
図７は、本発明の実施例３の構成を示す図で、図６に対応した図となっている。
【００５０】
図６の場合と比較して異なる構成は、ライトガイドＬＧは下フレームＤＦＬの裏面に配置させていることにある。下フレームＤＦＬ、反射シートＲＳには孔ＨＬ２が形成され、ライトガイドＬＧの光出射端面ＯＦ側は、この孔ＨＬ２内に配置され、光出射端面ＯＦは蛍光管ＥＦＬの電極ＴＭ側に対峙する。
【００５１】
この場合、インバータ回路基板ＩＣＢの取り付け個所が図６の場合と同じであれば、図６で用いたライトガイドＬＧと同じ形状のライトガイドＬＧを使用できる。すなわち、図７に示すライトガイドＬＧは、図６に示したライトガイドＬＧを、左右逆にし、さらに上下逆にして配置した関係にあるからである。
【００５２】
〈実施例４〉
図８（ａ）は、本発明の実施例４の構成を示した平面図である。図８（ｂ）は、図８（ａ）のｂ−ｂ線における断面図である。
【００５３】
平面的に観て、インバータ回路基板ＩＣＢは、それに搭載される補助光源ＡＬが隣接する各蛍光管ＥＦＬの間に位置づけられるようにして配置される場合を示したものである。
【００５４】
この場合、ライトガイドＬＧは、その長手方向が各蛍光管ＥＦＬと交差する方向に一致づけられて配置され、該ライトガイドＬＧの光出射端面ＯＦは、蛍光管ＥＦＬの直下に位置づけられるようにしている。
【００５５】
この場合のライトガイドＬＧは、実施例１ないし３に示したライトガイドＬＧの場合と比較した場合、長さの短いものを使用できる。
【００５６】
〈実施例５〉
図９は、本発明の実施例５の構成を示した平面図である。この実施例で用いられるライトガイドＬＧは複数の蛍光管ＥＦＬを含む平面と直交して延在する形状からなっている。
【００５７】
すなわち、ライトガイドＬＧは、下フレームＤＦＬ、反射シートＲＳに形成した孔ＨＬ３を貫通して配置され、平面的に観た場合、ライトガイドＬＧの光入射端面ＩＦと光出射端面ＯＦが同位置となっている。
【００５８】
インバータ回路基板ＩＣＢが蛍光管ＥＦＬの電極ＴＭから比較的近く配置されている場合において、補助光源ＡＬの光を減少させることなく、蛍光管ＥＦＬ側へ導くことができる。
【００５９】
この場合、ライトガイドＬＧの光出射端面ＯＦを球面状にすることにより、光出射端面ＯＦからの光を確実に蛍光管ＥＦＬの電極ＴＭ側へ照射させることができる。しかし、光出射端面ＯＦは平坦であってもよい。
【００６０】
〈実施例６〉
図１０は、本発明の実施例６の構成を示した平面図であり、図９と対応した図となっている。
【００６１】
図９の場合と比較して異なる構成は、インバータ回路基板ＩＣＢを下フレームＤＦＬの面に対し比較的高くして（図中Ｈで示す）配置せざるを得ない場合を示している。
【００６２】
この場合において、ライトガイドＬＧは、前記高さＨに応じて長く形成され、図９の場合と同様、下フレームＤＦＬ、反射シートＲＳに形成した孔ＨＬ４を貫通して配置されている。
【００６３】
このように構成した場合、補助光源ＡＬの光を減少させることなく、外部電極蛍光管ＥＦＬ側へ導くことができる。
【００６４】
上述した各実施例では、蛍光管ＥＦＬは、ＥＥＦＬとして説明したが、これに限らず、たとえば冷陰極線管（ＣＣＦＬ；Cold Cathode Fluorescent Lamp）といった他の蛍光管を使用したものにも本発明を適用することができる。
【図面の簡単な説明】
【００６５】
【図１】本発明の実施例１の液晶表示装置の断面図である。
【図２】本発明の実施例１の液晶表示装置の概略構成図である。
【図３ａ】本発明の実施例１の液晶表示装置のバックライトの構成を示す平面図であり、側壁板ＳＷＢを取り付けた状態を示す図である。
【図３ｂ】本発明の実施例１の液晶表示装置のバックライトの構成を示す平面図であり、側壁板ＳＷＢを取り除いた状態を示す図である。
【図４】前記バックライトに具備される電極金属の構成を示す構成図である。
【図５】前記バックライトに具備されるライトガイドの構成を示す斜視図である。
【図６】本発明の実施例２の液晶表示装置の断面図である。
【図７】本発明の実施例３の液晶表示装置の断面図である。
【図８】本発明の実施例４の液晶表示装置の構成図である。
【図９】本発明の実施例５の液晶表示装置の断面図である。
【図１０】本発明の実施例６の液晶表示装置の断面図である。
【符号の説明】
【００６６】
ＰＮＬ……液晶表示パネル、ＳＵＢ１、ＳＵＢ２……基板、ＡＲ……液晶表示領域、ＳＣＤｈ……半導体装置（映像信号駆動回路）、ＳＣＤｖ……半導体装置（走査信号駆動回路）、ＣＨ……半導体チップ、ＦＢ……フレキシブル基板、ＰＳＢ……プリント基板、ＯＳ……光学シート、ＢＬ……バックライト、ＤＦＲ……下フレーム、ＥＦＬ……外部電極蛍光管、ＴＭ……電極、ＲＳ……反射シート、ＳＷＦ……側壁面、ＳＷＢ……側壁板、ＴＭＴ……電極支持台、ＴＭＳ……電極支持材、ＴＭＴ……電極金具、ＢＰ……基部材、ＴＳ、ＴＳ'……舌片、ＩＣＢ……インバータ回路基板、ＬＧ……ライトガイド、ＩＦ……光入射端面、ＯＦ……光出射端面、ＡＬ……補助光源、ＨＬ、ＨＬ１、ＨＬ２、ＨＬ３、ＨＬ４……孔。
【図１】
2010002822.tif 000003
【図２】
2010002822.tif 000004
【図３ａ】
2010002822.tif 000005
【図３ｂ】
2010002822.tif 000006
【図４】
2010002822.tif 000007
【図５】
2010002822.tif 000008
【図６】
2010002822.tif 000009
【図７】
2010002822.tif 000010
【図８】
2010002822.tif 000011
【図９】
2010002822.tif 000012
【図１０】
2010002822.tif 000013